(57)【要約】【課題】物を切る時の振動が手に伝わりにくく切断音を抑えることができて利用者が疲れにくい鋏の提供。【解決手段】鋏１は、刀身部２ａ，３ａと柄部２ｂ，３ｂを有する一対の鋏片２，３を支軸４で枢支してなるものであって、鋏片２，３の全体または一部分が制振合金で構成されている。すなわち、物を切断する刀身部２ａ，３ａの刃先２ｃ，３ｃと、柄部に形成された指掛け５，５の指当り部５ａ，５ａとの間に、制振合金が介在している。【選択図】図１
2008005896.tif 000002
【特許請求の範囲】
【請求項１】
物を切断する刀身部と指で操作する柄部とを有する一対の鋏片を支軸で枢支してなる鋏において、刀身部の刃先と、柄部に形成された指掛けの指当り部との間に、制振合金が介在していることを特徴とする鋏。
【請求項２】
制振合金が、刀身部および／または柄部を被覆する被覆体を構成する請求項１に記載の鋏。
【請求項３】
物を切断する刀身部と指で操作する柄部とを有する一対の鋏片を支軸で枢支してなる鋏において、一対の刀身部の互いに摺接する刃先の両方もしくは一方が制振合金で構成されていることを特徴とする鋏。
【請求項４】
物を切断する刀身部と指で操作する柄部とを有する一対の鋏片を支軸で枢支してなる鋏において、柄部に形成された指掛けの少なくとも指当り部が制振合金で構成されていることを特徴とする鋏。
【発明の詳細な説明】
【技術分野】
【０００１】
本発明は、カット時の振動が手に伝わりにくく切断音を抑えることのできる鋏に関するものである。
【背景技術】
【０００２】
従前より理美容業界においては、湿らせた状態にして髪を切る、所謂ウエットカットが慣行されてきた。かかるウエットカットによれば、湿った髪が延ばされた状態で切られるので、カット後に髪を乾かすと髪が縮んで自然なヘアスタイルが得られにくいという問題がある。
そこで、乾いたままで髪を切る、所謂ドライカットが増えている。かかるドライカットに用いる理美容用鋏は例えば下記の特許文献１に記載されている。しかしながら、乾いた髪は硬いので、特許文献１記載のドライカット用鋏といえども、カット時に生じる振動（所謂キックバック）や音は大きい。そのために、いかにも「切っている」という感触が手や耳を通して伝わってくる。因みに、実際の切れ味と手や耳から感じる切れやすさとは必ずしも相関せず、実際には支障なく切れているにも拘わらず、切れていない感じがして美容師が疲れやすくなったりする。すなわち、美容師は、切っている感触ができるだけ手や耳に伝わらない「静かな鋏」を望んでいるのである。
【０００３】
【特許文献１】特開２００３−２３６２６９号公報
【発明の開示】
【発明が解決しようとする課題】
【０００４】
一方、乾いた髪に負けぬよう、刀身部を厚く重く構成した理美容用鋏が使用されている。かかる理美容用鋏によると、刀身部の慣性力が大きいことから切れやすくなり、刀身部が振動しにくいことから切断音も小さくなるという利点がある。ところが、美容師は一日のうちで長時間にわたり理美容用鋏を持っていることが多いので、前記した重厚な理美容用鋏を用いると、肩こりが激しくなって非常に疲れやすくなり、延いては手首の腱鞘炎を患うおそれもあった。
【０００５】
本発明は、上記した従来の問題点に鑑みてなされたものであって、物を切る時の振動が手に伝わりにくく切断音を抑えることができて利用者が疲れにくい鋏の提供を目的とする。
【課題を解決するための手段】
【０００６】
上記目的を達成するために、本発明に係る鋏は、刀身部と柄部を有する一対の鋏片を支軸で枢支してなる鋏において、物を切断する刀身部の刃先と、柄部に形成された指掛けの指当り部との間に、制振合金が介在しているものである。
【０００７】
また、前記の構成において、制振合金が、刀身部および／または柄部を被覆する被覆体を構成しているものである。
【０００８】
そして、本発明に係る鋏は、刀身部と柄部を有する一対の鋏片を支軸で枢支してなる鋏において、一対の刀身部の互いに摺接する刃先の両方もしくは一方が制振合金で構成されているものである。
【０００９】
更に、本発明に係る鋏は、刀身部と柄部を有する一対の鋏片を支軸で枢支してなる鋏において、柄部に形成された指掛けの少なくとも指当り部が制振合金で構成されているものである。
【００１０】
本発明で用いる制振合金としては特に限定されないが、例えば複合型合金、転位型合金、双晶型合金を用いることができる。
前記の複合型合金としては、Ｆｅ−Ｃ−Ｓｉ系合金、Ａｌ−Ｚｎ系合金が挙げられる。転位型合金としては、Ｍｇ−Ｚｒ系合金（例えば、基材Ｍｇ−０．６原子％Ｚｒ）、Ｍｇ2−Ｎｉ系合金、Ｍｇ−Ｃｕ−Ｍｎ系合金（例えば、基材Ｍｇ−４原子％Ｃｕ−２原子％Ｍｎ）、Ｆｅ−Ｎｉ−Ｍｎ系合金（例えば、基材Ｆｅ−５原子％Ｎｉ−１５原子％Ｍｎ）、Ｆｅ−Ｍｎ−Ｃｒ系合金（例えば、基材Ｆｅ−２２原子％Ｍｎ−１２原子％Ｃｒ）などが挙げられる。また、双晶型合金としては、Ｍｎ−Ｃｕ−Ａｌ−Ｆｅ−Ｎｉ系合金（例えば、基材Ｍｎ−３７原子％Ｃｕ−４．２５原子％Ａｌ−３原子％Ｆｅ−１．５原子％Ｎｉ）、Ｃｕ−Ｍｎ−Ａｌ系合金（例えば、基材Ｃｕ−４０原子％Ｍｎ−２原子％Ａｌ）、Ｃｕ−Ｍｎ−Ａｌ−Ｓｎ系合金（例えば、基材Ｃｕ−４０原子％Ｍｎ−２原子％Ａｌ−２原子％Ｓｎ）、Ｃｕ−Ａｌ−Ｎｉ系合金（例えば、基材Ｃｕ−１４原子％Ａｌ−４原子％Ｎｉ）、Ｃｕ−Ｚｎ−Ａｌ系合金（例えば、基材Ｃｕ−２６原子％Ｚｎ−５原子％Ａｌ）、Ｎｉ−Ｔｉ系合金、Ｍｎ−Ｃｕ−Ｎｉ−Ｆｅ系合金（例えば、基材Ｍｎ−２０原子％Ｃｕ−５原子％Ｎｉ−２原子％Ｆｅ）などが挙げられる。尚、制振合金を刃先に使用する場合は、焼入れが可能な制振合金を選定する必要がある。
【発明の効果】
【００１１】
本発明に係る鋏によれば、物を切断する刀身部の刃先と指掛けの指当り部との間に制振合金が介在しているので、物を切った際に刃先で生じた振動は指掛けに届くまでに制振合金で減衰され音の大きさも抑えられる。従って、物を切った時に生じた振動はそのまま利用者の手に伝わることがなく耳に入る切断音も小さい。このようにカット時の振動や音が小さいと、よく切れている感じがして利用者は感覚的に疲れにくくなる。加えて、かかる作用、効果は、従来汎用品同様の軽薄な形状、厚み、重さに鋏を形成した場合でも変わらないので、利用者が鋏を長時間持っていたとしても、従前以上に肩こりを生じたり疲れやすくなるといったことがない。
【００１２】
前記した本発明特有の作用、効果は、制振合金が刀身部および／または柄部を被覆する被覆体である場合、一対の刀身部の互いに摺接する刃先の両方もしくは一方が制振合金で構成されている場合、または、柄部に形成された指掛けの少なくとも指当り部が制振合金で構成されている場合においても、同様に奏し得る。
【発明を実施するための最良の形態】
【００１３】
本発明の最良の実施形態を図面に基づいて説明する。尚、以下に述べる実施形態は本発明を具体化した一例に過ぎず、本発明の技術的範囲を限定するものでない。ここに、図１は本発明の一実施形態に係る鋏の開いた態様を示す平面図である。
図において、この実施形態に係る鋏１はヘアーカットに使用される理美容用鋏であり、一対の鋏片２，３と、鋏片２，３を連結する支軸４とから主に構成されている。前記の支軸４は、鋏片２の長手方向略中央部に形成された貫通穴１１（図２参照）と、鋏片３の長手方向略中央部に形成された貫通穴１２（図２参照）に通されてナットなどで螺止されることにより、鋏片２，３を揺動自在に枢支している。鋏片２は貫通穴１１を境に、髪を切る刃先２ｃを有する刀身部２ａと、指で操作される柄部２ｂとに区画される。鋏片３は貫通穴１２を境に、髪を切る刃先３ｃを有する刀身部３ａと、指で操作される柄部３ｂとに区画される。刀身部２ａ，３ａにおける内面（他方の鋏片との対向面）は、それぞれ凹面部２ｄ，３ｄとなっている。
【００１４】
柄部２ｂの先端には中指を通す例えばリング状の指掛け５が形成され、柄部３ｂの先端には親指を通すリング状の指掛け５が形成されている。そして、柄部２ｂの指掛け５には薬指を掛ける指掛け突起７が突設されている。柄部３ｂの指掛け５には、柄部２ｂの指掛け５と当接したときに生じる当接音を抑制するための合成ゴム製の音止め部材６が突設されている。尚、使用者の好みに応じて、柄部２ｂ,３ｂの指掛け５,５にゴム製のリングカバー８(図１中の２点鎖線で示す)が装着されることもある。
【００１５】
前記した一対の鋏片２，３は、それぞれの刀身部２ａ,３ａおよび柄部２ｂ，３ｂの全体が制振合金で構成されている。かかる制振合金として、本実施形態ではマンガン基材系制振合金（株式会社セイシン製の製品型番Ｍ２０５２）を用いた。制振合金Ｍ２０５２はマンガンを基材とし、合金全体のうち、銅２０原子％、ニッケル５原子％、鉄２原子％を含んでなる双晶型の合金である。また、制振合金Ｍ２０５２は鋼材との溶接や、焼入れを行なうことができる。
【００１６】
以上のように構成された鋏１では、支軸４と音止め部材６を除く、一対の鋏片２，３の全体が制振合金Ｍ２０５２で構成されているので、ドライカット作業において毛髪を切った際に、刃先２ｃ，３ｃで生じる振動および切断音は小さい。更に、生じた振動は指掛け５，５および指掛け突起７に届くまでに鋏片２，３で減衰されていっそう小さくなる。従って、ドライカット時に生じた振動は美容師の手にほとんど伝わらず耳に入る切断音も小さい。このようにカット時の振動や音が小さいと、「よく切れている」という感じがして美容師は感覚的に疲れにくくなる。これは、鋏１を従来汎用品と同様に軽薄な形状、厚み、重さに形成した場合も変わらないので、美容師が鋏１を一日中持っていたとしても、従前以上に肩こりを生じたり疲れやすくなったりすることがない。すなわち、本実施形態の鋏１は理美容のドライカット用として好適に用いることができる。
【００１７】
尚、上記の実施形態では、一対の鋏片の刀身部および柄部の全体を制振合金で構成した例を示したが、本発明の鋏はそれに限定されるものでない。例えば、図２に示す鋏１Ａのように、鋏片２Ａにおいて刀身部２ａ全体と柄部２ｂの一部分が制振合金製の制振合金部１３で構成されており、鋏片３Ａにおいて刀身部３ａ全体と柄部３ｂの一部分が制振合金製の制振合金部１４で構成されているものも、本発明に含まれる。鋏片２Ａの制振合金部１３と鋏片３Ａの制振合金部１４は、いずれも、原料の制振合金板をレーザーにより打ち抜いて得た打ち抜き品を使用してある。鋏片２Ａの制振合金部１３は柄部２ｂの残り部分と溶接で接合されている。鋏片３Ａの制振合金部１４も柄部３ｂの残り部分と溶接で接合されている。かかる構成の鋏１Ａも、刀身部２ａ，３ａの刃先２ｃ，３ｃ（図１参照）と指掛け５，５の指当り部５ａ，５ａとの間に制振合金が介在するので、ドライカット時に生じた振動は美容師の手にほとんど伝わらず耳に入る切断音も小さい。尚、制振合金部品として、前記した打ち抜き品の代わりに、大量生産向けの鍛造品や、鋳造品を用いることも可能である。
【００１８】
一方で、図２において、刀身部２ａ，３ａの先端から一点鎖線Ｂで示す位置までを制振合金で構成し、一点鎖線Ｂから指掛け５，５までを汎用の鋼材で構成し、前記の制振合金と汎用鋼材とを溶接により連結するようにしても構わない。かかる構成の鋏も前記の鋏１Ａと同様の作用、効果が得られる。
【００１９】
また、図３に示す鋏１Ｂのように、鋏片２Ｂにおいて刀身部２ａの凹面部２ｄ全体および柄部２ｂの内側対向面を、制振合金製の被覆体９で被覆し、鋏片３Ｂにおいて刀身部３ａの凹面部３ｄ全体および柄部３ｂの内側対向面を、制振合金製の被覆体１０で構成したものも、本発明に含まれる。これらの被覆体９，１０は制振合金製の薄板材であり、基体である鋼材の表面を被った状態で溶接により被着される。尚、前記では、鋏片２Ｂと鋏片３Ｂの内側対向面を被覆体９，１０で被覆したが、外側の表面を含む鋏片２Ｂと鋏片３Ｂの全表面を制振合金製の被覆体で被覆してもよい。
【００２０】
そして、本発明に係る鋏は、図１に示すように、一対の刀身部２ａ，３ａの互いに摺接する両方の刃先２ｃ，３ｃを制振合金部１５，１６（図１中の二点鎖線で示す）で置き換えたものでも構わない。更には、刃先２ｃ，３ｃのいずれか一方を制振合金で構成したものも、本発明に含まれる。
【００２１】
また、本発明に係る鋏は、図１に示すように、柄部２ｂ，３ｂにおいて図中一点鎖線Ａで示す位置から先の指掛け５，５や指掛け突起７までの部分を制振合金で構成してよい。あるいは、指掛け５，５や指掛け突起７において、使用時に指が触れる内周面の指当り部５ａ，７ａを制振合金で構成したり被覆したりしても構わない。更には、柄部２ｂ，３ｂにおける一点鎖線Ａ〜ＡＡ間の部分をそれぞれ制振合金で構成することもできる。
【００２２】
また、図４に示した鋏１Ｃは理美容用の梳き鋏であり、一対の鋏片２０，２１と、鋏片２０，２１を揺動自在に枢支する支軸４とから主に構成されている。鋏片２０は支軸４の位置を境に、棒刃２０ａと柄部２０ｂとに区画される。鋏片２１は支軸４の位置を境に、櫛刃２１ａと柄部２１ｂとに区画される。櫛刃２１ａには、複数の櫛歯部２１ｃ，２１ｃ，２１ｃ，・・・が鋏片長手方向に間隔をあけて形成されている。そして、前記した一対の鋏片２０，２１は、棒刃２０ａ、 櫛刃２１ａ、および柄部２０ｂ，２１ｂの全体が制振合金で構成されている。
【００２３】
この鋏１Ｃでは、棒刃２０ａの刃先２０ｃと櫛刃２１ａの櫛歯部２１ｃとが交差して乾燥状態の髪を梳き切る際に生じた振動は、美容師の手にほとんど伝わらず耳に入る切断音も小さい。かかる梳き鋏において、部品の大部分を汎用の鋼材で構成し、櫛刃２１ａの櫛歯部２１ｃ，２１ｃ，２１ｃ，・・・の先端刃先だけ、あるいは棒刃２０ａの刃先２０ｃだけを制振合金で置き換えたり被覆したりしても相応の効果を奏し得る。
【００２４】
以上に述べた本発明の鋏は、上述の理美容用鋏に限るものでなく、工業用手鋏、裁縫鋏、事務用鋏、学童用鋏、その他の鋏に適用可能である。
【図面の簡単な説明】
【００２５】
【図１】本発明の一実施形態に係る鋏の開いた態様を示す平面図である。
【図２】本発明の別の実施形態に係る鋏の閉じた態様を示す側断面図である。
【図３】本発明の更に別の実施形態に係る鋏の閉じた態様を示す側断面図である。
【図４】本発明の他の実施形態に係る鋏の開いた態様を示す平面図である。
【符号の説明】
【００２６】
１，１Ａ，１Ｂ，１Ｃ  鋏
２，２Ａ，２Ｂ，３，３Ａ，３Ｂ，２０，２１  鋏片
２ａ，３ａ  刀身部
２ｂ，３ｂ、２０ｂ，２１ｂ  柄部
２ｃ,３ｃ,２０ｃ  刃先
４    支軸
５    指掛け
５ａ，７ａ  指当り部
７    指掛け突起（指掛け）
９，１０  被覆体
１３，１４，１５，１６  制振合金部
２０ａ  棒刃（刀身部）
２１ａ  櫛刃（刀身部）
２１ｃ  櫛歯部
【図１】
2008005896.tif 000003
【図２】
2008005896.tif 000004
【図３】
2008005896.tif 000005
【図４】
2008005896.tif 000006